(57)【要約】【課題】電路を開放するための変位部材を保持する保持部材が離脱しても、電路を遮断する。【解決手段】回路遮断器９０は、回路遮断器本体９２の下部に導電性の２つの電極９４ａ，９４ｂが設けられている。電極９４ｂは、電極９４ａに向けて延びる耐熱性を有する導電性のバネ部材９６が設けられており、バネ部材９６が後述するピン１０８に押されて電極９４ａに接触する開放部９８を電極９４ａとともに構成し、電路が形成されるようになっている。つまり、ピン１０８は、バイメタル１１０が反転することによって生じる力をバネ部材９６に伝達し、バイメタル１１０の変位に応じて開放部９８を開放させる。なお、バネ部材９６は、外部から力を受けていない状態では、自身の弾性力によって電極９４ａから離れるようにされている。【選択図】図３
2009231074.tif 000002
【特許請求の範囲】
【請求項１】
温度変化に応じて変位する変位部材と、
この変位部材を保持する保持部材と、
第１の電極と第２の電極とを具備し、前記変位部材及び前記保持部材のいずれか一方が所定量以上の変位をすることにより電路を開放する開放部と
を有する回路遮断器。
【請求項２】
前記変位部材は、
線膨張率の異なる２種類の金属を接合したバイメタルである請求項１記載の回路遮断器。
【請求項３】
前記開放部は、
少なくとも前記第１の電極又は前記第２の電極のいずれかが具備する弾性力により開放される
請求項１又は２記載の回路遮断器。
【請求項４】
前記第１の電極又は前記第２の電極に生じる応力が最大となる位置から前記第１の電極と前記第２の電極とが接触する位置までよりも離れた位置で、前記変位部材が変位することによって生じる力を前記第１の電極又は前記第２の電極に伝達する伝達手段をさらに有する
請求項３記載の回路遮断器。
【請求項５】
前記第１の電極又は前記第２の電極に圧力を加える加圧部材をさらに有し、
前記開放部は、
前記加圧部材が加える圧力により開放される
請求項１乃至４いずれか記載の回路遮断器。
【請求項６】
記録媒体を加熱する加熱部材と、
この加熱部材が所定温度以上になった場合、前記加熱部材に給電するための電路を遮断する回路遮断器と
を具備し、
前記回路遮断器は、
温度変化に応じて変位する変位部材と、
この変位部材を保持する保持部材と、
第１の電極と第２の電極とを具備し、前記変位部材及び前記保持部材のいずれか一方が所定量以上の変位をすることにより電路を開放する開放部と
を有する定着装置。
【請求項７】
画像形成部と、
この画像形成部が形成する画像を記録媒体に転写する転写手段と、
この転写手段が画像を転写した記録媒体に画像を定着させる定着装置と、
この定着装置に給電する給電部と
を具備し、
前記定着装置は、
記録媒体を加熱する加熱部材と、
この加熱部材が所定温度以上になった場合、前記加熱部材に給電するための電路を遮断する回路遮断器と
を具備し、
前記回路遮断器は、
温度変化に応じて変位する変位部材と、
この変位部材を保持する保持部材と、
第１の電極と第２の電極とを具備し、前記変位部材及び前記保持部材のいずれか一方が所定量以上の変位をすることにより電路を開放する開放部と
を有する画像形成装置。
【発明の詳細な説明】
【技術分野】
【０００１】
本発明は、回路遮断器、定着装置及び画像形成装置に関するものである。
【背景技術】
【０００２】
特許文献１は、バイメタルを挟んでキャップに対向し、キャップとベース部材との間に熱伝導率の高いアルミニウムの中蓋を配設して、キャップから中蓋に伝わる熱を効率良くバイメタルに伝えるサーモスタットを開示する。
【０００３】
【特許文献１】特開２００２−１００２７１号公報
【発明の開示】
【発明が解決しようとする課題】
【０００４】
本発明は、電路を開放するための変位部材を保持する保持部材が離脱しても、電路を遮断することができる回路遮断器、定着装置及び画像形成装置を提供することを目的とする。
【課題を解決するための手段】
【０００５】
上記目的を達成するため、請求項１に係る本発明は、温度変化に応じて変位する変位部材と、この変位部材を保持する保持部材と、第１の電極と第２の電極とを具備し、前記変位部材及び前記保持部材のいずれか一方が所定量以上の変位をすることにより電路を開放する開放部とを有する回路遮断器である。
【０００６】
請求項２に係る本発明は、前記変位部材は、線膨張率の異なる２種類の金属を接合したバイメタルである請求項１記載の回路遮断器である。
【０００７】
請求項３に係る本発明は、前記開放部は、少なくとも前記第１の電極又は前記第２の電極のいずれかが具備する弾性力により開放される請求項１又は２記載の回路遮断器である。
【０００８】
請求項４に係る本発明は、前記第１の電極又は前記第２の電極に生じる応力が最大となる位置から前記第１の電極と前記第２の電極とが接触する位置までよりも離れた位置で、前記変位部材が変位することによって生じる力を前記第１の電極又は前記第２の電極に伝達する伝達手段をさらに有する請求項３記載の回路遮断器である。
【０００９】
請求項５に係る本発明は、前記第１の電極又は前記第２の電極に圧力を加える加圧部材をさらに有し、前記開放部は、前記加圧部材が加える圧力により開放される請求項１乃至４いずれか記載の回路遮断器である。
【００１０】
請求項６に係る本発明は、記録媒体を加熱する加熱部材と、この加熱部材が所定温度以上になった場合、前記加熱部材に給電するための電路を遮断する回路遮断器とを具備し、前記回路遮断器は、温度変化に応じて変位する変位部材と、この変位部材を保持する保持部材と、第１の電極と第２の電極とを具備し、前記変位部材及び前記保持部材のいずれか一方が所定量以上の変位をすることにより電路を開放する開放部とを有する定着装置である。
【００１１】
請求項７に係る本発明は、画像形成部と、この画像形成部が形成する画像を記録媒体に転写する転写手段と、この転写手段が画像を転写した記録媒体に画像を定着させる定着装置と、この定着装置に給電する給電部とを具備し、前記定着装置は、記録媒体を加熱する加熱部材と、この加熱部材が所定温度以上になった場合、前記加熱部材に給電するための電路を遮断する回路遮断器とを具備し、前記回路遮断器は、温度変化に応じて変位する変位部材と、この変位部材を保持する保持部材と、第１の電極と第２の電極とを具備し、前記変位部材及び前記保持部材のいずれか一方が所定量以上の変位をすることにより電路を開放する開放部とを有する画像形成装置である。
【発明の効果】
【００１２】
請求項１に係る本発明によれば、電路を開放するための変位部材を保持する保持部材が離脱しても、電路を遮断することができる。
【００１３】
請求項２に係る本発明によれば、請求項１に係る本発明の効果に加えて、本構成を有していない場合に比較して、構成を簡易にすることができる。
【００１４】
請求項３に係る本発明によれば、請求項１又は２に係る本発明の効果に加えて、本構成を有していない場合に比較して、構成を簡易にすることができる。
【００１５】
請求項４に係る本発明によれば、請求項３に係る本発明の効果に加えて、本構成を有していない場合に比較して、変位部材に加わる圧力を低減することができる。
【００１６】
請求項５に係る本発明によれば、請求項１乃至４いずれかに係る本発明の効果に加えて、本構成を有していない場合に比較して、構成を簡易にすることができる。
【００１７】
請求項６に係る本発明によれば、電路を開放するための変位部材を保持する保持部材が離脱しても、電路を遮断することができる。
【００１８】
請求項７に係る本発明によれば、電路を開放するための変位部材を保持する保持部材が離脱しても、電路を遮断することができる。
【発明を実施するための最良の形態】
【００１９】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２内に像形成手段１４が搭載され、この画像形成装置本体１２の上部に後述する排出部１６が設けられていると共に、この画像形成装置本体１２の下部に例えば２段の給紙ユニット１８，１８が配置されている。さらに、画像形成装置本体１２の下方には、オプションとして複数の給紙ユニットが配置できるようにしてある。
【００２０】
それぞれの給紙ユニット１８は、給紙ユニット本体２０と、用紙などの記録媒体が収納される給紙カセット２２とを有する。給紙カセット２２の奥端近傍上部にはピックアップロール２４が配置され、このピックアップロール２４の後方にリタードロール２６及びフィードロール２８が配置されている。
【００２１】
主搬送路３２は、フィードロール２８から排出口３４までの用紙通路であり、この主搬送路３２は、画像形成装置本体１２の裏側（図１の左側面）近傍にあって、最下端の給紙ユニット１８から後述する定着装置３６まで略鉛直に形成されている部分を有する。この主搬送路３２の定着装置３６の上流側に後述する転写装置４２と像担持体４４が配置され、さらに転写装置４２と像担持体４４の上流側にレジストロール３８が配置されている。さらに、主搬送路３２の排出口３４の近傍には排出ロール４０が配置されている。
【００２２】
したがって、給紙ユニット１８の給紙カセット２２からピックアップロール２４により送り出された用紙は、リタードロール２６及びフィードロール２８の協働により捌かれて最上部の用紙のみ主搬送路３２に導かれ、レジストロール３８により一時停止され、タイミングをとって後述する転写装置４２と像担持体４４との間を通って現像剤像が転写され、この転写された現像剤像が定着装置３６により定着され、排出ロール４０により排出口３４から排出部１６へ排出される。
【００２３】
ただし、両面印刷の場合は、反転路に戻される。即ち、主搬送路３２の排出ロール４０の手前は二股に分かれ、その分かれた部分に切換装置４６が設けられていると共に、分けられた部分からレジストロール３８まで戻る反転路４８が形成されている。この反転路４８には搬送ロール５０ａ〜５０ｃが設けられており、両面印刷の場合には、切換装置４６が反転路４８を開く側に切り換えられ、排出ロール４０に用紙の後端手前がかかる時点で排出ロール４０が反転し、用紙が反転路４８に導かれ、レジストロール３８、転写装置４２と像担持体４４及び定着装置３６を通って排出口３４から排出部１６へ排出されるものである。
【００２４】
排出部１６は、画像形成装置本体１２に対して回動自在の傾斜部５２を有する。この傾斜部５２は、排出口部分が低く、正面方向（図１の右方向）に向けて徐々に高くなるよう傾斜しており、排出口部分を下端とし、高くなった先端を上端としている。この傾斜部５２は下端を中心に回動自在であるよう画像形成装置本体１２に支持されている。図１で２点鎖線で示すように、傾斜部５２を上方に回転して開いたときには、開放部５４が形成され、この開放部５４を介して後述するプロセスカートリッジ６４が脱着できるようにしてある。
【００２５】
像形成手段１４は、例えば電子写真方式のもので、感光体からなる像担持体４４と、この像担持体４４を一様帯電する例えば帯電ロールからなる帯電装置５６と、帯電装置５６により帯電された像担持体４４に、光により潜像を書き込む光書込み装置５８と、この光書込み装置５８により形成された像担持体４４の潜像を現像剤により可視化する現像機６０と、この現像機６０による現像剤像を用紙に転写する例えば転写ロールからなる転写装置４２と、像担持体４４に残存する現像剤をクリーニングする例えばブレードからなるクリーニング装置６２と、転写装置４２により転写された用紙上の現像剤像を用紙に定着させる定着装置３６とから構成されている。光書込み装置５８は例えば走査型のレーザ露光装置からなり、前述した給紙ユニット１８と平行で画像形成装置本体１２の正面近傍に配置され、現像機６０内を横切って像担持体４４を露光する。
【００２６】
プロセスカートリッジ６４は、像担持体４４、帯電装置５６、現像機６０及びクリーニング装置６２を一体化したものである。このプロセスカートリッジ６４は、排出部１６の傾斜部５２に直近下方に配置されており、前述したように、傾斜部５２を開いたときに形成される開放部５４を介して着脱される。
【００２７】
また、画像形成装置本体１２内には、画像形成装置１０を構成する各部に給電する給電部６５が設けられている。
【００２８】
図２において、定着装置３６の概要が示されている。定着装置３６は、ユニット化され、ユニット本体６６を有しており、このユニット本体６６は、第１の筐体６８と第２の筐体７０とが組合されて構成されている。即ち、第１の筐体６８と第２の筐体７０とは、図示しない支点を介して連結され、さらに第１の筐体６８には、加熱ロール７２が回転自在に支持され、第２の筐体７０には、加圧ロール７４が回転自在に支持されている。そして、加圧ロール７４は、図示しない弾性体により加熱ロール７２に圧接され、ニップ部７８が形成されている。
【００２９】
加熱ロール７２内にはランプからなるヒータ８０が配置され、加熱ロール７２を加熱する。ニップ部７８を挟んで上下方向に前述した搬送路３２が構成され、用紙が下から上へ搬送される。ニップ部７８の上流側には入り口側シュート８２が、ニップ部７８の下流側には出口側シュート８４ａ，８４ｂがそれぞれ配置されている。出口側シュート８４ａ，８４ｂは、第１の筐体６８と第２の筐体７０とに設けられており、第２の筐体７０の出口側シュート８４ａが上方に回動することにより用紙を通過させるようになっている。ニップ部７８の下流側近傍で第１の筐体６８には、剥離爪８８が加熱ロール７２の軸方向（用紙の幅方向）に複数設けられている。この剥離爪８８は、加熱ロール７２の表面を傷付けない程度の弱い力で加熱ロール７２側に付勢され、該剥離爪８８の先端が加熱ロール７２の表面に圧接し、加熱ロール７２に巻き付こうとする用紙を剥がすようになっている。
【００３０】
また、加熱ロール７２の例えば下方には、加熱ロール７２に対して所定の隙間をあけて回路遮断器（サーモスタット）９０が設けられている。そして、給電部６５は、回路遮断器９０を介してヒータ８０へ給電するようにされている。即ち、回路遮断器９０は、加熱ロール７２（定着装置３６）の温度が所定の温度になった場合に、給電部６５からヒータ８０（定着装置３６）へ給電するための電路を遮断するようにされている。
【００３１】
次に、回路遮断器９０について詳述する。
図３は、回路遮断器９０の概要を示す側面から見た断面図であり、（Ａ）は加熱ロール７２（定着装置３６）の温度が所定温度範囲内（通常動作温度範囲内）である場合の回路遮断器９０の状態を示す断面図であり、（Ｂ）は加熱ロール７２（定着装置３６）の温度が所定温度範囲外（通常動作温度よりも高温時）である場合の回路遮断器９０の状態を示す断面図である。
回路遮断器９０は、例えば略円柱状に形成されており、絶縁性の部材からなる回路遮断器本体（ベース部材）９２を有する。以下、絶縁性の部材としては、セラミック、フェノール樹脂、ポリフェニレンスルフィルド等が用いられる。
【００３２】
また、回路遮断器９０は、回路遮断器本体９２の下部に導電性の２つの電極９４ａ，９４ｂが設けられている。電極９４ｂは、電極９４ａに向けて延びる耐熱性を有する導電性のバネ部材９６が設けられており、バネ部材９６が後述するピン１０８に押されて電極９４ａに接触する開放部９８を電極９４ａとともに構成し、電路が形成されるようになっている。なお、バネ部材９６は、外部から力を受けていない状態では、自身の弾性力によって電極９４ａから離れるようにされている。
以下、導電性の部材としては、例えば高温で導電性とばね性（弾性）を有するステンレス、銅、リン青銅等からなる部材、又はこれらの部材をスズ、ニッケル、銀若しくは金等でめっきした部材が用いられる。
【００３３】
回路遮断器本体９２の上方には、ピンガイド１０４が設けられている。ピンガイド１０４は、絶縁性の円盤状部材であり、略中央に上下方向に貫通する孔部１０６が設けられている。孔部１０６には、絶縁性のピン１０８が上下方向に移動自在に挿入されている。また、ピン１０８の上方には、皿バネ状に形成（絞り形成）されたバイメタル１１０が配置されている。このバイメタル１１０は、線膨張率の異なる２種類の金属を接合することによって所定の温度で反転又は復帰するようにされており、絶縁性のキャップ１１２がピンガイド１０４及びバイメタル１１０の上方から回路遮断器本体９２に対して被せられることにより、回路遮断器本体９２に対して保持されている。
【００３４】
また、キャップ１１２は、図４にも示すように略中央に開口部１１４が設けられて、バイメタル１１０が外部の温度変化に対して敏感に反転又は復帰するように、バイメタル１１０の表面を露出させており、回路遮断器本体９２に対してカシメられることにより固定される。つまり、キャップ１１２及びピンガイド１０４は、バイメタル１１０を保持する保持部材となっている。
【００３５】
そして、ピン１０８は、バイメタル１１０が反転することによって生じる力をバネ部材９６に伝達し、バイメタル１１０の変位に応じて開放部９８を開放させる。
例えば図３（Ａ）に示すように、加熱ロール７２の温度が所定温度範囲内である場合、バイメタル１１０は下側が凸となり、ピン１０８はバイメタル１１０によって下方に押されて、バネ部材９６が電極９４ａに接触して電路が形成される。
一方、図３（Ｂ）に示すように、加熱ロール７２の温度が所定温度範囲外になった場合、バイメタル１１０は上側が凸となるように変位し、ピン１０８がバネ部材９６に対して力を伝達しなくなるので、バネ部材９６が弾性力によって電極９４ａから離れて電路が遮断される。
【００３６】
さらに、図５に示すように、回路遮断器９０が故障（キャップ１１２が離脱）した場合にも、ピン１０８がバネ部材９６に対して力を伝達しなくなるので、バネ部材９６が弾性力（バネ性）によって電極９４ａから離れて電路が遮断される。
つまり、回路遮断器９０は、キャップ１１２が離脱（所定量以上の変位）することによってピン１０８が押し下げられなくても、故障が生じたとして電極９４ａからバネ部材９６への電路を遮断するフェールセーフの機能を有する。
【００３７】
次に、回路遮断器９０の第１の変形例（回路遮断器１２０）について説明する。
図６は、回路遮断器９０の第１の変形例（回路遮断器１２０）の概要を示す側面から見た断面図であり、（Ａ）は加熱ロール７２（定着装置３６）の温度が所定温度範囲内（通常動作温度範囲内）である場合の回路遮断器１２０の状態を示す断面図であり、（Ｂ）は加熱ロール７２（定着装置３６）の温度が所定温度範囲外（通常動作温度よりも高温時）である場合の回路遮断器１２０の状態を示す断面図である。
なお、回路遮断器１２０において、図３に示した回路遮断器９０を構成する部分と実質的に同一のものには、同一の符号が付してある。
【００３８】
例えば図６（Ａ）に示すように、加熱ロール７２の温度が所定温度範囲内である場合、バイメタル１１０は下側が凸となり、ピン１０８はバイメタル１１０によって下方に押されて、バネ部材９６が電極９４ａに接触して電路が形成される。
一方、図６（Ｂ）に示すように、加熱ロール７２の温度が所定温度範囲外である場合、バイメタル１１０は上側が凸となり、ピン１０８がバネ部材９６に対して力を伝達しなくなるので、バネ部材９６が弾性力によって電極９４ａから離れて電路が遮断される。
【００３９】
さらに、図７に示すように、回路遮断器９０が故障（キャップ１１２が離脱）した場合にも、ピン１０８がバネ部材９６に対して力を伝達しなくなるので、バネ部材９６が電極９４ａから離れて電路が遮断される。
つまり、回路遮断器９０は、キャップ１１２が離脱することによってピン１０８が押し下げられなくても、故障が生じたとして電極９４ａからバネ部材９６への電路を遮断するフェールセーフの機能を有する。
【００４０】
なお、ピン１０８は、バネ部材９６に生じる応力が最大となる位置Ａからバネ部材９６と電極９４ａとが接触する位置までよりも離れた位置Ｂで、バイメタル１１０が変位することよにって生じる力をバネ部材９６に伝達する。したがって、回路遮断器１２０は、バイメタル１１０がピン１０８を介して受ける反力（圧力）が回路遮断器９０よりも小さくなっている。さらに、バネ部材９６が高い電気抵抗値を有していても、位置Ａからバネ部材９６と電極９４ａとが接触する位置までの距離を短くすることにより、バネ部材９６による電圧降下が低減されている。
【００４１】
次に、回路遮断器９０の第２の変形例（回路遮断器１３０）について説明する。
図８は、回路遮断器９０の第２の変形例（回路遮断器１３０）の概要を示す側面から見た断面図であり、（Ａ）は加熱ロール７２（定着装置３６）の温度が所定温度範囲内（通常動作温度範囲内）である場合の回路遮断器１３０の状態を示す断面図であり、（Ｂ）は加熱ロール７２（定着装置３６）の温度が所定温度範囲外（通常動作温度よりも高温時）である場合の回路遮断器１３０の状態を示す断面図である。
なお、回路遮断器１３０において、図３に示した回路遮断器９０を構成する部分と実質的に同一のものには、同一の符号が付してある。
【００４２】
電極９４ｂは、例えばバネなどの加圧部材１３２によって下方から押し上げられる方向に圧力が加えられている。
例えば図８（Ａ）に示すように、加熱ロール７２の温度が所定温度範囲内である場合、バイメタル１１０は下側が凸となり、ピン１０８はバイメタル１１０によって下方に押されて、電極９４ｂが電極９４ａに接触して電路が形成される。ここで、バイメタル１１０が変位することよにって生じてピン１０８が伝達する力は、加圧部材１３２が下方から電極９４ｂを押し上げる力よりも強くなっており、電極９４ａと電極９４ｂとが接触して電路が形成される。
【００４３】
一方、図８（Ｂ）に示すように、加熱ロール７２の温度が所定温度範囲外である場合、バイメタル１１０は上側が凸となり、ピン１０８が電極９４ｂに対して力を伝達しなくなるので、電極９４ｂが加圧部材１３２の圧力によって電極９４ａから離れて電路が遮断される。
【００４４】
さらに、図９に示すように、回路遮断器１３０が故障（キャップ１１２が離脱）した場合にも、ピン１０８が電極９４ｂに対して力を伝達しなくなるので、電極９４ｂが電極９４ａから離れて電路が遮断される。
つまり、回路遮断器１３０は、キャップ１１２が離脱することによってピン１０８が押し下げられなくても、故障が生じたとして電極９４ａから電極９４ｂへの電路を遮断するフェールセーフの機能を有する。
【００４５】
次に、回路遮断器９０の第３の変形例（回路遮断器１４０）について説明する。
図１０は、回路遮断器９０の第３の変形例（回路遮断器１４０）の概要を示す側面から見た断面図であり、（Ａ）は加熱ロール７２（定着装置３６）の温度が所定温度範囲内（通常動作温度範囲内）である場合の回路遮断器１４０の状態を示す断面図であり、（Ｂ）は加熱ロール７２（定着装置３６）の温度が所定温度範囲外（通常動作温度よりも高温時）である場合の回路遮断器１４０の状態を示す断面図である。
なお、回路遮断器１４０において、図３に示した回路遮断器９０を構成する部分と実質的に同一のものには、同一の符号が付してある。
【００４６】
回路遮断器本体９２には、軸部１４２を支点として揺れ動く板状部材１４４と、バネ部材９６を上方から下方に向けて付勢するための例えばバネなどの付勢部材１４６が設けられている。板状部材１４４は、一端がバイメタル１１０の変位によって生じる力をピン１０８を介して受けるようにされており、他端が付勢部材１４６の付勢力を受けるようにされている。なお、付勢部材１４６は、上端がピンガイド１０４により抑えられている。
【００４７】
例えば図１０（Ａ）に示すように、加熱ロール７２の温度が所定温度範囲内である場合、バイメタル１１０は上側が凸となり、ピン１０８はバイメタル１１０からの力を伝達せず、付勢部材１４６が板状部材１４４の他端を介してバネ部材９６を電極９４ａに向けて付勢することにより、バネ部材９６が電極９４ａに接触して電路が形成される。
【００４８】
一方、図１０（Ｂ）に示すように、加熱ロール７２の温度が所定温度範囲外である場合、バイメタル１１０は下側が凸となり、バイメタル１１０の変位によって生じる力をピン１０８が板状部材１４４の一端に伝達し、板状部材１４４の一端を下方へ押し下げる。
ここで、ピン１０８が板状部材１４４の一端へ伝達する力は、付勢部材１４６が板状部材１４４の他端介してバネ部材９６を付勢する力よりも強くなっている。つまり、下側が凸となるようにバイメタル１１０が変位することにより、付勢部材１４６が板状部材１４４の他端を介してバネ部材９６を下方に付勢する力が断たれて、バネ部材９６が弾性力によって電極９４ａから離れて電路が遮断される。
【００４９】
さらに、回路遮断器１４０が故障（キャップ１１２が離脱）した場合、図１１に示すように、キャップ１１２、バイメタル１１０、ピン１０８、ピンガイド１０４及び付勢部材１４６がそれぞれ離れてしまい、板状部材１４４にはピン１０８からも付勢部材１４６からも力が加えられなくなる。したがって、キャップ１１２が回路遮断器本体９２から離脱した場合、バネ部材９６を下方に付勢する力が断たれて、バネ部材９６が弾性力（バネ性）によって電極９４ａから離れて電路が遮断される。
つまり、回路遮断器１４０は、キャップ１１２が離脱することによってピン１０８が押し下げられなくても、故障が生じたとして電極９４ａからバネ部材９６への電路を遮断するフェールセーフの機能を有する。
【図面の簡単な説明】
【００５０】
【図１】本発明の実施形態に係る画像形成装置の概要を示す側面図である。
【図２】定着装置を側方から見た断面図である。
【図３】回路遮断器の概要を示す側面から見た断面図であり、（Ａ）は加熱ロールの温度が所定温度範囲内である場合の回路遮断器の状態を示す断面図であり、（Ｂ）は加熱ロールの温度が所定温度範囲外である場合の回路遮断器の状態を示す断面図である。
【図４】回路遮断器の上面図である。
【図５】キャップが離脱した場合の回路遮断器の状態を側面から見た断面図である。
【図６】回路遮断器の第１の変形例の概要を示す側面から見た断面図であり、（Ａ）は加熱ロールの温度が所定温度範囲内である場合の回路遮断器の状態を示す断面図であり、（Ｂ）は加熱ロールの温度が所定温度範囲外である場合の回路遮断器の状態を示す断面図である。
【図７】キャップが離脱した場合の回路遮断器の第１の変形例の状態を側面から見た断面図である。
【図８】回路遮断器の第２の変形例の概要を示す側面から見た断面図であり、（Ａ）は加熱ロールの温度が所定温度範囲内である場合の回路遮断器の状態を示す断面図であり、（Ｂ）は加熱ロールの温度が所定温度範囲外である場合の回路遮断器の状態を示す断面図である。
【図９】キャップが離脱した場合の回路遮断器の第２の変形例の状態を側面から見た断面図である。
【図１０】回路遮断器の第３の変形例の概要を示す側面から見た断面図であり、（Ａ）は加熱ロールの温度が所定温度範囲内である場合の回路遮断器の状態を示す断面図であり、（Ｂ）は加熱ロールの温度が所定温度範囲外である場合の回路遮断器の状態を示す断面図である。
【図１１】回路遮断器の第３の変形例を示す側面から見た断面図であり、キャップが離脱した場合の回路遮断器の状態を示す断面図である。
【符号の説明】
【００５１】
１０    画像形成装置
１４    像形成手段
３６    定着装置
４２    転写装置
６５    給電部
９０，１２０，１３０，１４０    回路遮断器
９２    回路遮断器本体
９４ａ，９４ｂ    電極
９６    バネ部材
９８    開放部
１０４    ピンガイド
１０８    ピン
１１０    バイメタル
１１２    キャップ
１３２    加圧部材
１４２    軸部
１４４    板状部材
１４６    付勢部材
【図１】
2009231074.tif 000003
【図２】
2009231074.tif 000004
【図３】
2009231074.tif 000005
【図４】
2009231074.tif 000006
【図５】
2009231074.tif 000007
【図６】
2009231074.tif 000008
【図７】
2009231074.tif 000009
【図８】
2009231074.tif 000010
【図９】
2009231074.tif 000011
【図１０】
2009231074.tif 000012
【図１１】
2009231074.tif 000013